(57)【要約】      （修正有）【課題】普段は学校のイスの背もたれに装着してクッションとして機能し、非常時には生命を守る防火頭巾ジャケットとして使用することが可能な、最低限の非常用品が収納された学校用震災津波対策避難ジャケットを提供する。【解決手段】左右の脇部Ｓ２及び下方が夫々開放された状態で前身頃１１と後身頃１２とが左右の肩ベルト１３により連結されて該左右の肩ベルト１３間に首通し穴Ｓ１が形成されると共に両側の脇部Ｓ２が開放されて成る学校用震災津波対策避難ジャケット１であって、前身頃１１及び後身頃１２は表地と裏地の間に浮力体が内蔵されて成り、両側の脇部Ｓ２下方位置には前身頃１１と後身頃１２とを締め付け可能な締付機構１５が夫々備えられ、後身頃１２における首通し穴Ｓ１周縁所定箇所には防災頭巾１４が備え付けられた構成となる。【選択図】図１
0003185280.tif 000002
【実用新案登録請求の範囲】
【請求項１】
左右両側の脇部及び下方が夫々開放された状態で前身頃と後身頃とが左右の肩ベルトにより連結されて該左右の肩ベルト間に首通し穴が形成されて成る学校用震災津波対策避難ジャケットであって、前身頃及び後身頃は表地と裏地の間に浮力体が内蔵されて成り、両側の脇部下方位置には前身頃と後身頃とを締め付け可能な締付機構が夫々備えられ、後身頃における首通し穴周縁所定箇所には防災頭巾が備え付けられていることを特徴とする学校用震災津波対策避難ジャケット。
【請求項２】
前記防災頭巾の表地と裏地の間に、浮力体が内蔵されていることを特徴とする請求項１に記載の学校用震災津波対策避難ジャケット。
【請求項３】
前記防災頭巾が、着脱機構を介して前記後身頃に備え付けられていることを特徴とする請求項１または請求項２に記載の学校用震災津波対策避難ジャケット。
【請求項４】
前記後身頃に収納ポケットが備えられ、前記防災頭巾が収納可能となっていることを特徴とする請求項１から請求項３のいずれかに記載の学校用震災津波対策避難ジャケット。
【請求項５】
前記後身頃の下端辺における所定箇所に少なくとも一以上の股下ベルトが備えられ、該股下ベルトの先端部が前記前身頃の下端部に装着可能となっていることを特徴とする請求項１から請求項４のいずれかに記載の学校用震災津波対策避難ジャケット。
【請求項６】
前記肩ベルトに、長さ調節機構が備えられていることを特徴とする請求項１から請求項５のいずれかに記載の学校用震災津波対策避難ジャケット。
【請求項７】
前記前身頃、後身頃並びに防災頭巾の表地が、防炎性若しくは難燃性素材から成ることを特徴とする請求項１から請求項６のいずれかに記載の学校用震災津波対策避難ジャケット。
【請求項８】
前記前身頃及び後身頃における表地の所定箇所に、所定形状の反射材、蓄光材、蛍光材、発光材のうち少なくともいずれか一つが装着されていることを特徴とする請求項１から請求項７のいずれかに記載の学校用震災津波対策避難ジャケット。
【請求項９】
前記前身頃、後身頃並びに防災頭巾のうち選択される少なくとも一つにおける表地と浮力体との間に、二枚のアルミシートに挟まれることで防炎機能を有する気泡緩衝シート（エアクッションシート）が備えられていることを特徴とする請求項１から請求項８のいずれかに記載の学校用震災津波対策避難ジャケット。
【請求項１０】
前記前身頃若しくは後身頃における所定箇所に、少なくとも一以上の飲料ホルダーが備えられていることを特徴とする請求項１から請求項９のいずれかに記載の学校用震災津波対策避難ジャケット。
【考案の詳細な説明】
【技術分野】
【０００１】
本考案は、学校用震災津波対策避難用具として身体に着用して用いられるものであって、詳しくは、浮力体を内蔵し且つ防災頭巾が装備されたライフジャケットに関するものである。
【背景技術】
【０００２】
先の東日本大震災において経験したように、地震が起きた時に発生するのが１）建物等の倒壊、その後に２）火災、そして３）津波の順番で災害が発生する。その後４）避難生活が行われるが、避難したのちの非常食等の準備はすれども、発災時から避難所までの避難道具の開発が進んでいないことが問題となっている。１）建物等の倒壊・２）火災・３）津波・４）避難生活のすべてを網羅できてはじめて、生命を守ることができる。そこでまずは、災害弱者の子供たちを如何に守ることができるかを考えることが大事である。
【０００３】
ところで、最近の研究によると、日本国において、直近１０年以内における東南海地震の発生確率が非常に高いとの研究報告があり、さらに当該東南海地震によって確実に大津波が発生するといわれており、約３２万人が該津波によって流されるとの被害予測も出されている。
【０００４】
従来、このような災害時に対応すべく、地域の避難所とされる場所に非常食等が備蓄されていたり、また、各家庭・個々人で市販された水や食料を詰めた非常用バッグを備えたりする対応が行われている。
しかしながら、全ての避難所に非常食等が必ず備蓄されているわけではなく、また、避難先によって備蓄量も異なり、必ずしも満足できるものではなかった。さらに、市販されている非常用バッグは、内容物として非常食等だけでなくヘルメットや軍手、ロープ、ナイフ、懐中電灯などが詰められており、重量的に非常に重いものであって、避難時にそのような重量物を持って行くことは決して勧められるものではないと共に、避難に時間がかかってしまうことが考えられ、かえって生命を危険にさらす可能性もあり、総じて避難の妨げになってしまうものであった。
【先行技術文献】
【特許文献】
【０００５】
【特許文献１】実用新案登録第３１０６９７３号公報
【特許文献２】実用新案登録第３０２２４０２号公報
【特許文献３】実用新案登録第３０１６８６３号公報
【考案の概要】
【考案が解決しようとする課題】
【０００６】
本考案は、上記問題点に鑑み、普段は学校のイスの背もたれに装着してクッションとして機能し、非常時には生命を守る防火頭巾ジャケットとして使用することが可能な、最低限の非常用品が収納された学校用震災津波対策避難ジャケットを提供することを課題とするものである。
【課題を解決するための手段】
【０００７】
上記目的を達成するため、本考案は、防炎性能と浮力性能を備えた部材を基に左右両側の脇部及び下方が夫々開放された状態で前身頃と後身頃とが左右の肩ベルトにより連結されて該左右の肩ベルト間に首通し穴が形成されて成る学校用震災津波対策避難ジャケットであって、前身頃及び後身頃は表地と裏地の間に浮力体が内蔵されて成り、両側の脇部下方位置には前身頃と後身頃とを締め付け可能な締付機構が夫々備えられ、後身頃における首通し穴周縁所定箇所には防災頭巾が備え付けられた構成となっている。
【０００８】
このとき、前記防災頭巾の表地と裏地の間に、浮力体及び簡易ヘルメットが内蔵されている構成とすることが考え得る。
【０００９】
また、本考案は、前記防災頭巾が、着脱機構を介して前記後身頃に備え付けられている構成とすることができる。
【００１０】
さらに、本考案は、前記後身頃に収納ポケットが備えられ、前記防災頭巾が収納可能となっている構成を採用することもできる。
【００１１】
またさらに、本考案は、前記後身頃の下端辺における所定箇所に少なくとも一以上の股下ベルトが備えられ、該股下ベルトの先端部が前記前身頃の下端部に装着可能となっている構成を採ることもできる。
【００１２】
さらにまた、本考案は、前記肩ベルトに、長さ調節機構が備えられている構成を採用することも考え得る。
【００１３】
そしてまた、本考案は、前記前身頃及び後身頃の表地が、防炎性若しくは難燃性素材から成る構成とすることもできる。
【００１４】
そしてさらに、本考案は、前記前身頃及び後身頃における表地の所定箇所に、所定形状の反射材、蓄光材、蛍光材、発光材のうち少なくともいずれか一つが装着されている構成を採ることも可能である。
【００１５】
さらにまた、本考案は、前記前身頃、後身頃並びに防災頭巾のうち選択される少なくとも一つにおける表地と浮力体との間に、二枚のアルミシートに挟まれることで防炎機能を有する気泡緩衝シート（エアクッションシート）が備えられている構成とすることも可能である。
【００１６】
そしてまた、本考案は、前記前身頃若しくは後身頃における所定箇所に、少なくとも一以上の飲料ホルダーが備えられている構成を採用することも可能である。
【考案の効果】
【００１７】
本考案にかかる学校用震災津波対策避難ジャケットによれば、平常時はイスの背もたれに装着することでクッションとして機能すると共に、いざ非常時にはイスの背もたれから外して瞬時に身体に装着することが可能であり、防災頭巾も備え付けられ、さらに内部に浮力体が内蔵されていることで、震災後の落下物や津波などから身を守ることが可能であって、避難時のライフジャケットとして優れた効果を発揮するものである。
【００１８】
また、本考案にかかる学校用震災津波対策避難ジャケットによれば、必要最低限の非常用品のみを装備することで大変軽量化されているため、装着による重量感を感じることなく、避難の妨げになることがないといった、優れた効果を奏するものである。
【００１９】
さらに、本考案にかかる学校用震災津波対策避難ジャケットによれば、多くのイスが存在する学校などにおいて、該イスの背もたれに漏れなく装着しておくことで、子供がいつでも装着できる体制が整えられて、子供の生命を守ることができると共に、避難所となる学校等に常時非常用品を備蓄することができるといった、優れた効果を奏するものである。
【図面の簡単な説明】
【００２０】
【図１】本考案にかかる学校用震災津波対策避難ジャケットの実施形態を示す説明図である。
【図２】本考案にかかる学校用震災津波対策避難ジャケットの実施形態を示す説明図である。
【図３】本考案にかかる学校用震災津波対策避難ジャケットの実施形態を示す説明図である。
【図４】本考案にかかる学校用震災津波対策避難ジャケットの使用態様を示す説明図である。
【図５】本考案にかかる学校用震災津波対策避難ジャケットの使用態様を示す説明図である。
【図６】本考案にかかる学校用震災津波対策避難ジャケットの使用態様を示す説明図である。
【図７】本考案にかかる学校用震災津波対策避難ジャケットの使用態様を示す説明図である。
【考案を実施するための形態】
【００２１】
本考案は、防炎性能と浮力性能を備えた部材を基に成形される学校用震災津波対策避難ジャケット１であって、前身頃１１及び後身頃１２の表地３１と裏地３２の間に浮力体３３が内蔵されると共に、両側の脇部Ｓ２下方位置に前身頃１１と後身頃１２とを締め付け可能な締付機構１５が夫々備えられ、かつ、後身頃１２における首通し穴Ｓ１周縁所定箇所に防災頭巾１４が備え付けられることで、平常時はイスＣの背もたれＣ１に装着してクッションとして機能させ、非常時にイスＣの背もたれＣ１から外して瞬時に身体Ｈに装着することを可能としたことを最大の特徴とする。以下、本考案にかかる学校用震災津波対策避難ジャケット１の実施形態を、図面に基づき詳細に説明する。
【００２２】
なお、本考案は、下記実施形態の構成態様に特に限定されるものではなく、本考案の技術的思想の要旨に逸脱しない範囲で、構成態様を任意に変更することができるものである。
【００２３】
図１及び図２は、本考案にかかる学校用震災津波対策避難ジャケット１の実施形態を示しており、図１は正面から見た斜視図、図２は背面から見た斜視図である。
図面に示すように、本考案にかかる学校用震災津波対策避難ジャケット１は、左右両側の脇部Ｓ２及び下方が夫々開放された状態で前身頃１１と後身頃１２とが左右の肩ベルト１３により連結され、該左右の肩ベルト１３間に首通し穴Ｓ１が形成された構成となっている。
【００２４】
前身頃１１と後身頃１２とを連結する左右の肩ベルト１３について、図面に示すように、長さ調節機構２２を備える態様が好ましい。すなわち、身体Ｈに着用した場合に、使用者の体型によって変化する前身頃１１と後身頃１２の位置をベストなポジションに調節可能とするためである。
【００２５】
両側の脇部Ｓ２における下方位置には、締付機構１５が夫々備えられている。該締結機構１５は、開放された脇部Ｓ２において、前身頃１１と後身頃１２とを締め付けるために設けられるものである。締結機構１５の具体的構造については特に限定はなく、常法の締付手段を用いればよい。
【００２６】
かかる締結機構１５の構造の具体例としては、例えば図面に示すように、後身頃１２の両側辺下方位置に所定幅・長さの帯体１５を夫々備え、該帯体１５の先端部における表裏両面及び前身頃１１の表地３１下端部に、帯体１５と前身頃１１とを締結するための該面ファスナーＦを備えた構造とすることが考え得る。締結手段として面ファスナーＦを採用することで、着脱作業の容易性と着脱時間の優位性に資する。このとき、帯体１５の先端部において裏面だけでなく表裏両面に面ファスナーＦを備えるのは、ライフジャケット１をイスＣに装着したり実際に身体Ｈに装着する際に、使用者の体型や帯体１５の長さ等によって帯体１５の先端部が重なり合う場合が想定され、その場合であっても着実に面ファスナーＦが締結可能とするためである。
【００２７】
また、かかる締結機構１５の構造の具体例として、図示されてはいないが、例えば前身頃１１及び後身頃１２の両側辺下方位置に所定幅・長さの帯体１５を夫々備え、該帯体１５の先端部にソケット型装着手段を備えた構造とすることが考えられ、さらに該ソケット型装着手段に、長さ調節機構を備えた構造とすることが考え得る。このように、締結手段としてソケット型装着手段を採用することで、着脱の確実性に資することとなる。
【００２８】
後身頃１２における首通し穴Ｓ１周縁所定箇所には、防災頭巾１４が備え付けられている。このとき、防災頭巾１４について、着脱機構２１を介して備え付けられる態様が考え得る。かかる態様を採用することで、該防災頭巾１４を学校用震災津波対策避難ジャケット１と切り離すことができるため、必要に応じて防災頭巾１４のみを単独で使用することが可能となる。
【００２９】
後身頃１２の所定箇所には、図面に示すように、収納ポケット２３が備えられている。該収納ポケット２３には、必要最低限の非常用品、例えば非常食やペンライト、応急用品などが収納されるほか、防災頭巾１４も収納可能となっている。このように防災頭巾１４を収納可能とすることで、不使用時において防災頭巾１４を収納ポケット２３に収納して、見た目に綺麗で空間的邪魔を省くことが可能となる。なお、かかる収納ポケット２３の縁部について、内容物の飛び出し・紛失を防止すべく、ファスナー等の開閉機構により開閉自在とすることも可能である。
【００３０】
後身頃１２の下端辺における所定箇所には、股下ベルト１６が備えられている。該股下ベルト１６は、少なくとも一以上備えられ、その先端部が前身頃１１の下端部へ装着可能となっている。かかる股下ベルト１６の前身頃１１への装着のための具体的構造については、ソケット型装着手段を採用するなど特に限定はないが、例えば図面に示すように、股下ベルト１６の先端部における表裏両面に面ファスナーＦを備え、前記締結機構１５において備えられた前身頃１１の表地３１下端部にある面ファスナーＦへ装着可能とする構造が考え得る。このとき、股下ベルト１６の先端部において裏面だけでなく表裏両面に面ファスナーＦを備えるのは、該股下ベルト１６の先端部と帯体１５の先端部とが重なり合う場合が想定され、その場合であっても着実に面ファスナーＦが締結可能とするためである。
【００３１】
前身頃１１及び後身頃１２における表地３１の所定箇所には、反射材、蓄光材、蛍光材、発光材のうち少なくともいずれか一つが装着されている。これら反射材等は、所定の形状を為して装着され、例えば図１に示すように、ＳＯＳの文字形状を為して装着されたり、あるいは図２に示すように、単に複数の直線形状を為して装着される。これにより、救助による早期発見に資することとなる。
【００３２】
前身頃１１若しくは後身頃１２における所定箇所には、少なくとも一以上の飲料ホルダー２４が備えられ、飲料Ｄが装備可能となっている。なお図面では、前身頃１１の下端部における左右両端に夫々飲料ホルダー２４を備えた態様について示しているが、該飲料ホルダー２４について後身頃１２に備えてもよく、また、前身頃１１に収納ポケットを設けて、該収納ポケットの中に飲料ホルダー２４を備える態様も考え得る。
【００３３】
前身頃１１と後身頃１２には、図３に示すように、表地３１と裏地３２の間に浮力体３３が内蔵されている。浮力体３３の具体的材質については、特に限定するものではないが、例えば発泡スチロールなどが考え得る。かかる浮力体３３が内蔵されることで、本考案の学校用震災津波対策避難ジャケット１を着用することにより、震災後の津波による二次災害に遭っても生命を守ることが可能であると共に、クッションの役割を果たして瓦礫その他の障害物から身を守ることが可能となる。
【００３４】
このとき、防災頭巾１４における表地３１と裏地３２の間にも、浮力体３３が内蔵されていることが望ましい。これにより、津波に遭っても頭を自然に水面から浮かせることが可能になると共に、上記同様クッションの役割を果たして瓦礫その他の障害物から頭を守ることが可能となる。
【００３５】
かかる前身頃１１と後身頃１２、そして防災頭巾１４について、その表地３１が防炎性若しくは難燃性素材により成形されていることが望ましい。震災その他の災害時に二次災害として問題となるのが火災である。そこで、表地３１の素材を防炎性素材あるいは難燃性素材により成形することで、かかる火災に遭遇した際に炎から身を守ることが可能となる。なお、防炎性若しくは難燃性を有する具体的素材については、特に限定はないが、例えばアラミド繊維から成る素材などが考え得る。
【００３６】
本考案における裏地３２の素材については、学校用震災津波対策避難ジャケット１としてのある程度の強度を備えるものであれば、特に限定するものではなく、例えばナイロン繊維から成る布などが考え得る。
【００３７】
ところで、前記前身頃１１、後身頃１２並びに防災頭巾１４のうち選択される少なくとも一つにおいて、表地３１と浮力体３３との間に、気泡緩衝シート３５（エアクッションシート）を備える態様が考え得る。かかる気泡緩衝シート３５の具体的構造については、特に限定はなく、包装用のクッション材として一般的に用いられている塩ビ製から成るもので足りる。すなわち、気泡緩衝シート３５を備えることで、気泡内の空気が熱を吸収して断熱性・耐熱性向上に資すると共に学校用震災津波対策避難ジャケット１全体の浮力を向上させ、さらには、クッション機能の向上にも資することとなる。
【００３８】
かかる気泡緩衝シート３５を備えるに際し、該気泡緩衝シート３５の表裏面は夫々アルミシート３４で被覆され、すなわち二枚のアルミシート３４で気泡緩衝シート３５が挟まれた状態となっている。かかるアルミシート３４を用いることで、燃えやすい浮力体３３がある内部へ火が侵入することを防ぐ防炎機能を有すると共に、気泡緩衝シート３５の溶融を防ぐこととなる。
【００３９】
以上の通り構成される本考案にかかる学校用震災津波対策避難ジャケット１は、身体Ｈへの着用に際し、頭を通して脇及び股を締め頭巾を被る、という大変容易な動作で着用することができるものである。具体的には、図４に示すように、頭を下方から首通し穴Ｓ１へ通して左右の肩ベルト１３を夫々両肩に掛けた状態で、締結機構１５により開放された左右の脇部Ｓ２を締め付けつつ前身頃１１と後身頃１２とを締結すると共に、股下ベルト１６を後方から股下を通して前身頃１１下端部に装着し、最終的に防災頭巾１４を被ることで、身体Ｈに着用されることとなる。このとき、前身頃１１と後身頃１２の位置をベストなポジションに調節すべく、必要に応じて肩ベルト１３に備わる長さ調節機構２２により調節を行う。収納ポケット２３には非常食などの必要最低限の非常用品のみが収納されていると共に、飲料ホルダー２４には水その他の飲料Ｄが装備されており、学校用震災津波対策避難ジャケット１全体として大変軽量化されているため、着用による重量感を感じることなく、安心・安全且つ俊敏な避難に資することとなる。
【００４０】
なお、平常時に学校用震災津波対策避難ジャケット１は、イスＣの背もたれＣ１に装着しておくこととなる。イスＣへの装着態様については、上記した身体Ｈへの着用態様と特に変わるところはない。すなわち、図５に示すように、イスＣの背もたれＣ１の上辺に各肩ベルト１３を掛けた状態で、締結機構１５により開放された左右の脇部Ｓ２を締め付けつつ前身頃１１と後身頃１２とを締結すると共に、股下ベルト１６を後方からイスＣの背もたれＣ１における下方空間を通して前身頃１１下端部に装着することで、イスＣへの装着は完了する。ただし、図面に示すように、防災頭巾１４は収納ポケット２３に収容されており、これにより見た目に綺麗で空間的邪魔を省くことが可能となる。かかるイスＣへの装着態様により、普段における背もたれＣ１のクッションとして機能させることが可能であり、かつ、非常時にイスＣの背もたれＣ１から外して瞬時に身体Ｈに装着することが可能となる。
【００４１】
また、イスＣの背もたれＣ１への装着態様について、図６及び図７に示すように、学校用震災津波対策避難ジャケット１を収納袋４０に収納した状態で、イスＣの背もたれＣ１に装着する態様も考え得る。すなわち、収納袋４０は、図６に示すように、中に学校用震災津波対策避難ジャケット１が収納されている状態がわかるよう網状布４１により成形され、上方が開口してファスナー４２により開閉可能となっており、上辺略中央箇所には把持部４６を備えると共に、左右両端部の端辺に沿って夫々掛けベルト４３が備えられ、さらに左右両端部の下端部には先端に締結機構４５を有する締結ベルト４４が備えられて成る。そして図７に示すように、かかる収納袋４０内に学校用震災津波対策避難ジャケット１を収納した状態で、イスＣの背もたれＣ１の上辺に掛けベルト４３を掛け、かつ、締結ベルト４４をイスＣの背もたれＣ１における下方位置で締結機構４５を介して締結することで、イスＣへの装着は完了する。
【産業上の利用可能性】
【００４２】
本考案の学校用震災津波対策避難ジャケット１は、浮力体３３の内蔵とクッション機能により着用者の身体的安全を確保すると共に、必要最低限の非常用品を装備して安心を提供し、さらに着用容易性と軽量性を兼ね備えて避難にかかる時間的ロスを無くすることが可能となるだけでなく、平常時にイスＣに装着しておくことで背もたれＣ１のクッションとして機能させることができると共に、多くのイスＣが存在する学校などに常備させることで、子供がいつでも装着できる体制が整えられて、子供の生命を守ることができると共に、避難所となる学校等に常に非常用品を備蓄することも可能であって、本考案の産業上の利用可能性は極めて高いものと思料する。
【符号の説明】
【００４３】
１    学校用震災津波対策避難ジャケット
１１    前身頃
１２    後身頃
１３    肩ベルト
１４    防災頭巾
１５    締結機構（帯体）
１６    股下ベルト
２１    着脱機構
２２    長さ調節機構
２３    収納ポケット
２４    飲料ホルダー
３１    表地
３２    裏地
３３    浮力体
３４    アルミシート
３５    気泡緩衝シート
４０    収納袋
４１    網状布
４２    ファスナー
４３    掛けベルト
４４    締結ベルト
４５    締結機構
４６    把持部
Ｃ    イス
Ｃ１  背もたれ
Ｄ    飲料
Ｆ    面ファスナー
Ｈ    身体
Ｓ１  首通し穴
Ｓ２  脇部
Ｔ    反射材，蓄光材，蛍光材，発光材
【図１】
0003185280.tif 000003
【図２】
0003185280.tif 000004
【図３】
0003185280.tif 000005
【図４】
0003185280.tif 000006
【図５】
0003185280.tif 000007
【図６】
0003185280.tif 000008
【図７】
0003185280.tif 000009